(57)【要約】【課題】複数種類の液剤を選択的に供給し得る浴室を提供する。【解決手段】洗い場１１へ湯水を供給する蛇口１６を備えた浴室１０に、液剤を供給する液剤供給ノズル２４を配設する。前記液剤供給ノズル２４は、所要数の液剤吸入管３８と分岐的に連通する液剤供給管２６に連通接続される。前記各液剤吸入管３８は、浴室１０の台部１３内に複数配置されて所望の液剤が貯留される液剤貯留タンク２８の夫々に接続され、この液剤吸入管３８と前記液剤供給管２６との連通は、切替弁３０によって選択的に切り替えられる。また、前記切替弁３０で切り替えられて連通する側の液剤吸入管３８から液剤貯留タンク２８中の液剤を吸引して前記液剤供給ノズル２４に供給するポンプ３２を配設すると共に、液剤の切り替え選択を行なう切替スイッチ４２が、前記蛇口１６の近傍に取付けられる。【選択図】図１
2006136468.tif 000002
【特許請求の範囲】
【請求項１】
浴槽(14)と、
前記浴槽(14)または該浴槽(14)に併設した洗い場(11)に設けられ、湯水の供給を行なう蛇口(16)と、
前記蛇口(16)の近傍に配設した単一の液剤供給ノズル(24)と、
前記液剤供給ノズル(24)に一端部が連通接続すると共に、他端部が所要数の液剤吸入管(38)に分岐的に連通する液剤供給管(26)と、
前記液剤吸入管(38)の夫々に個別に連通し、所望の液剤が貯留される複数の液剤貯留タンク(28)と、
前記液剤供給管(26)と各液剤吸入管(38)との分岐部に設けられ、前記夫々の液剤貯留タンク(28)に接続している各対応の液剤吸入管(38)と該液剤供給管(26)との連通を選択的に切り替える切替弁(30)と、
前記液剤供給管(26)の途中に設けられ、前記切替弁(30)で切り替えられて連通する側の液剤吸入管(38)から液剤貯留タンク(28)中の液剤を吸引して前記液剤供給ノズル(24)に供給するポンプ(32)と、
前記蛇口(16)の近傍に配設され、所望の液剤貯留タンク(28)に切り替わるように、制御手段(34)を介して前記切替弁(30)に指令を出す液剤選択手段(42)とから構成した
ことを特徴とする浴室。
【請求項２】
前記液剤選択手段(42)は、前記液剤貯留タンク(28)の配設数に応じた数の選択ボタンで構成される請求項１記載の浴室。
【請求項３】
前記液剤選択手段(42)は、前記液剤貯留タンク(28)の配設数に応じた切替接点を有する切替スイッチとして構成される請求項１記載の浴室。
【請求項４】
前記複数の液剤貯留タンク(28)は、浴槽(14)の近傍に設けられる請求項１記載の浴室。
【請求項５】
前記複数の液剤貯留タンク(28)と、切替弁(30)と、ポンプ(32)とは１箇所に集中的に配置され、前記ポンプ(32)から導出した所要数の液剤供給管(26)を、多数の蛇口(16)の近傍に対応的に設けた液剤供給ノズル(24)に個別に接続し、夫々の液剤供給ノズル(24)に開閉弁(54)を設けるようにしてなる請求項１記載の浴室。
【請求項６】
前記複数の液剤貯留タンク(28)を１箇所に集中的に配置すると共に、前記切替弁(30)、ポンプ(32)、液剤供給管(26)および液剤供給ノズル(24)からなる組合せを前記多数の蛇口(16)の近傍に対応的に設け、前記切替弁(30)を前記液剤吸入管(38)を介して前記夫々の液剤貯留タンク(28)に接続することで、夫々の液剤供給ノズル(24)から所望の液剤を供給し得るようにした請求項１記載の浴室。
【請求項７】
前記蛇口(16)に接続する湯水供給管(18)から分岐した洗浄水供給管(46)を洗浄弁(44)を介して前記液剤供給管(26)に接続し、異なる種類の液剤を使用するに先立ち該洗浄弁(44)を開放することで、前記湯水供給管(18)からの湯水を該液剤供給ノズル(24)に供給してノズル洗浄を行なうようにした請求項１記載の浴室。
【発明の詳細な説明】
【技術分野】
【０００１】
この発明は、浴室に関するものであって、更に詳細には、家庭や大衆浴場等に配設されて、所望の液剤をノズルから供給し得るようにした浴室に関するものである。
【背景技術】
【０００２】
一般家庭における浴室には、通常、体を洗う石けん(ボディーソープ)やシャンプー等のボトルが複数配置されており、体を洗ったり、洗髪したりする際、使用に供されている。また、銭湯やホテル等の大衆が利用する浴場では、蛇口やシャワーが夫々に配設された複数の洗い場が設けられ、各洗い場には、ボディーソープやシャンプー等の種々のボトルが設置されている。
【０００３】
このように、家庭や大衆浴場等の浴室には、各種のボトルが複数配置されるのであるが、これにより、浴室内が煩雑になったり、洗い場のスペースが狭くなってしまう難点があった。特に、一人暮らし用の狭い浴室や、洗い場を多数確保したい銭湯等では、浴室内の有効利用が強く望まれる。そこで特許文献１に示すように、浴室の蛇口に液剤を供給する液剤供給管を設けて、タンクに貯留された液剤(例えば、シャンプー)を該液剤供給管を介して注出し得る液剤供給装置が提案されている。この装置によって、例えばシャンプーのボトルを洗い場等に配置する必要がなく、浴室内のスペースを有効に利用し得る利点がある。
【特許文献１】特開平５−１９２２６５号公報
【発明の開示】
【発明が解決しようとする課題】
【０００４】
しかし、特許文献１の液剤供給装置では、１種類の液剤しか供給できないので、タンクに貯留した液剤以外の液剤を供給することができないという欠点がある。また、他の液剤(例えば、ボディーソープ、リンス等)のボトルは、何れにしても浴室内のどこかに配置しなければならず、浴室内の煩雑さは完全に解消されていない。更に、前記液剤供給装置を大衆浴場に設ける場合、多数の洗い場毎にこれを設置する必要があり、敷設コストが嵩んでしまう問題がある。また、この液剤供給装置を大衆浴場に設けた場合には、液剤の補給・交換は夫々のタンク毎に行わなければならず、非常に手間が掛かってしまう難点も指摘される。
【０００５】
そこで本発明は、従来の浴室に内在する前記問題に鑑み、これらを好適に解決するべく提案されたものであって、１つのノズルから複数種類の液剤(ボディーソープ、シャンプー等)を選択的に供給し得るようにした浴室を提供することを目的とする。
【課題を解決するための手段】
【０００６】
前記課題を克服し、所期の目的を達成するため、本発明に係る浴室は、
浴槽と、
前記浴槽または該浴槽に併設した洗い場に設けられ、湯水の供給を行なう蛇口と、
前記蛇口の近傍に配設した単一の液剤供給ノズルと、
前記液剤供給ノズルに一端部が連通接続すると共に、他端部が所要数の液剤吸入管に分岐的に連通する液剤供給管と、
前記液剤吸入管の夫々に個別に連通し、所望の液剤が貯留される複数の液剤貯留タンクと、
前記液剤供給管と各液剤吸入管との分岐部に設けられ、前記夫々の液剤貯留タンクに接続している各対応の液剤吸入管と該液剤供給管との連通を選択的に切り替える切替弁と、
前記液剤供給管の途中に設けられ、前記切替弁で切り替えられて連通する側の液剤吸入管から液剤貯留タンク中の液剤を吸引して前記液剤供給ノズルに供給するポンプと、
前記蛇口の近傍に配設され、所望の液剤貯留タンクに切り替わるように、制御手段を介して前記切替弁に指令を出す液剤選択手段とから構成した
ことを特徴とする。
【発明の効果】
【０００７】
本発明に係る浴室によれば、複数種類の液剤を選択的に供給し得るよう構成したので、用途に合わせて各種様々な液剤を供給できる。また、液剤用のボトルを浴室内に配置する必要がないので、浴室がスッキリして、不衛生になることもない。また、前記液剤選択手段として選択ボタンや切替スイッチを用いた場合には、液剤の切り替え・選択を容易に行ない得る。
【０００８】
また、銭湯や旅館等において、前記液剤貯留タンク、切替弁およびポンプを１箇所に集中配置し、所望の液剤を複数の液剤供給ノズルから供給し得るようにすれば、敷設コストが抑えられて、液剤貯留タンクへの液剤の補給・交換の作業が効率的になる。また、前記液剤貯留タンクのみを集中配置すると共に、ポンプ等を多数の蛇口の近傍に対応的に設けて、複数の液剤供給ノズルから液剤を供給し得るようにした場合には、各種の液剤を各液剤供給ノズルから同時的に供給することが可能となる。更に、異なる種類の液剤を使用するに先立ち、湯水を液剤供給ノズルに供給してノズル洗浄を行なうようにしたので、以前に使用した異なる液剤が混ざって供給されることが防止される。
【発明を実施するための最良の形態】
【０００９】
次に、本発明に係る浴室につき、好適な実施例を挙げて、添付図面を参照して以下に説明する。
【実施例１】
【００１０】
図２は、実施例１に係る浴室１０を示す概略平面図であって、矩形状に画成された浴室１０内には、浴槽１４と、該浴槽１４に併設した洗い場１１とが配設されている。なお、実施例１では、前記浴室１０を一般の家庭に配設した場合を示すが、旅館・ホテルや大衆浴場等に該浴室１０を配設することも勿論可能である。
【００１１】
前記洗い場１１には、浴室１０の内壁面に沿って配設されると共に、所要高さを有した台部１３が設けられており、湯水の供給を行なう蛇口１６が該台部１３上に配設されている。この台部１３の内部は、液剤を供給する液剤貯留タンク２８等の液剤供給機構２３を収納し得るよう所要のスペースが開設されており、また、該台部１３の前面には、扉２２によって開閉可能に閉成される開口部２０が開設されている。なお、図２における符号１９は浴室用のイスを、符号２１は浴槽１４内へ湯水を供給する浴槽用の蛇口を夫々示している。
【００１２】
前記洗い場１１に設けられた蛇口１６は、図１に示すように、浴室１０の外部に設けられた水道系およびボイラー(何れも図示せず)と接続した湯水供給管１８と連通しており、水道水および温水を選択的に供給し得るようになっている。また、前記蛇口１６にはシャワーホース１５が接続されており、シャワーノズル１７へ湯水を供給し得るよう構成されている。
【００１３】
前記蛇口１６の近傍には、所望の液剤を供給する単一の液剤供給ノズル２４が配設されており、該ノズル２４の端部に開設された開口部３６を前記洗い場１１に臨ませている。また、前記台部１３の内部から上方へ突出するよう配設される液剤供給管２６は、その一端部が前記液剤供給ノズル２４に連通接続すると共に、他端部が所要数(実施例１では３つ)の液剤吸入管３８に分岐的に連通している。この液剤供給管２６における前記台部１３に臨む上端部には、後述のポンプ３２と電気的に接続する液剤供給ボタン４０が配設され、該液剤供給ボタン４０を使用者が押すことで、ポンプ３２は液剤を吸入して、液剤供給ノズル２４へ供給するようになっている。なお実施例１では、液剤供給ボタン４０を前記液剤供給管２６の上端部に設けた場合を示したが、例えば、後述の切替スイッチ４２に設けたり、前記台部１３の所要位置に設けたりしてもよい。
【００１４】
前記液剤吸入管３８の夫々は、前記台部１３の内部に配置されて、所望の液剤が貯留される複数(実施例では３つ)の液剤貯留タンク２８の夫々と連通接続している。前記各液剤貯留タンク２８は、内部に所要量の液剤を貯留し得るようボトル状に形成されて、前記台部１３の内底面に載置されるようになっている。なお、実施例１においては、液剤としてボディーソープ、シャンプーおよびリンスの３種が、夫々、図１の左・中・右側に配設された液剤貯留タンクＡ〜Ｃに貯留されているものとする。但し、各液剤貯留タンク２８に貯留する液剤の種類としては、これに限定される訳でなく、例えば、リンスに換えてコンディショナーを貯留したり、タイプの異なるシャンプーを貯留したりしてもよい。また、前記液剤貯留タンク２８の配設数についても、実施例１に限定されず、その数を増減させても構わない。すなわち、浴室１０の実施態様および目的に合わせて、前記液剤貯留タンク２８の配設数や液剤の種類を変更すればよい。また、各液剤貯留タンク２８に残量検知手段(図示せず)を配設して、液剤の残量を検知し得るようにしてもよい。なお、液剤貯留タンク２８への液剤の補給・交換は、前記扉２２を開放させて、開口部２０を介して行なわれる。
【００１５】
前記液剤供給管２６と各液剤吸入管３８との分岐部には、前記夫々の液剤貯留タンク２８に接続している各対応の液剤吸入管３８と該液剤供給管２６との連通を選択的に切り替える切替弁３０が配設されている。すなわち、前記切替弁３０は、所望の液剤が選択された際に、該液剤が貯留された液剤貯留タンク２８と接続する液剤吸入管３８と液剤供給管２６とを連通すると共に、他の液剤吸入管３８との連通を遮断するよう構成されている。
【００１６】
前記液剤供給管２６の途中に設けられるポンプ３２は、前記切替弁３０で切り替えられて連通する側の液剤吸入管３８から液剤貯留タンク２８中の液剤を吸引して前記液剤供給ノズル２４に供給するよう構成されている。すなわち、前記ポンプ３２は、所望の液剤が貯留された液剤貯留タンク２８から該液剤を吸引して、前記液剤供給ノズル２４へ供給し得るよう構成されている。なお、このポンプ３２としては、電力によって液剤を吸引する電動ポンプが好適に採用される。
【００１７】
また、前記台部１３上の蛇口１６に近接する位置に、所望の液剤貯留タンク２８に切り替わるよう、制御手段３４を介して切替弁３０に指令を出す切替スイッチ(液剤選択手段)４２が配設されている。すなわち、前記切替スイッチ４２は、前記液剤貯留タンク２８の配設数に応じた切替接点を有しており、使用者が切替スイッチ４２を所望の液剤に設定することで該接点が切り替わり、これを検知した制御手段３４が、前記切替弁３０に対応の液剤吸入管３８を開放させるようになっている。また、前記制御手段３４は、前記ポンプ３２および後述の洗浄弁４４にも接続されて、これらを制御可能となっている。
【００１８】
前記湯水供給管１８と液剤供給管２６とは、洗浄弁４４を介して洗浄水供給管４６によって連通されて、異なる種類の液剤を使用するに先立ち該洗浄弁４４を開放することで、前記湯水供給管１８からの湯水を該液剤供給ノズル２４に供給してノズル洗浄を行なうようになっている。すなわち、前記制御手段３４が、切替スイッチ４２の接点が切り替わったことを検知すると、洗浄弁４４を開放させて、前記液剤供給ノズル２４へ洗浄水が供給されるよう構成されている。
【００１９】
(実施例１の作用)
次に、実施例１に係る浴室１０の作用について説明する。なお、前記切替スイッチ４２は、当初、「ボディーソープ」に設定されているものとする。すなわち、前記液剤供給管２６は、ボディーソープが貯留された液剤貯留タンクＡ２８と連通しているものとする。例えば、使用者が洗髪をする際には、前記切替スイッチ４２を「シャンプー」に切り替える。前記切替スイッチ４２の接点が切り替わったのを検知した制御手段３４は、洗浄弁４４を開放させて、前記液剤供給ノズル２４に洗浄水を供給する。すなわち、前回の使用によって、液剤供給管２６および液剤供給ノズル２４に残留していたボディーソープは洗浄水によって流されるので、シャンプーが供給される際にボディーソープが混ざることがない。
【００２０】
洗浄水によるノズル洗浄が行われると、前記制御手段３４は、切替弁３０を制御して、前記液剤貯留タンクＡ２８の液剤吸入管３８を閉成させて前記液剤供給管２６との連通を遮断させると共に、シャンプーを貯留する液剤貯留タンクＢ２８の液剤吸入管３８を開放させる。なお、液剤貯留タンクＣ２８における液剤吸入管３８は閉成したままである。この状態で、使用者が前記液剤供給ボタン４０を押すことで、ポンプ３２が液剤貯留タンクＢ２８からシャンプーを吸引し、前記液剤供給ノズル２４から該シャンプーが注出される。
【００２１】
また、洗髪が終了して、引き続きリンスをする場合には、前記切替スイッチ４２を「リンス」に設定することで、該スイッチ４２の切替接点が切り替わる。これを検知した制御手段３４は、前記洗浄弁４４を開放してノズル洗浄を行なうと共に、切替弁３０を制御して、液剤供給タンクＣ２８に接続された液剤吸入管３８を開放させる。そして、前記液剤供給ボタン４０が押されると、リンスが液剤供給ノズル２４から供給される。すなわち、実施例１に係る浴室１０は、複数種類の液剤を選択的に供給し得るよう構成したので、用途に合わせて様々な液剤を供給できる。また、シャンプー・リンス等のボトルを洗い場に配置する必要がないので、浴室がスッキリして、不衛生になることもない。
【００２２】
また、実施例１に係る浴室１０は、切替スイッチ４２を捻るだけで液剤の種類を切り替えることが可能であり、液剤の選択が容易である。更に、複数の液剤貯留タンク２８は台部１３の内部に設けられるので、該タンク２８が邪魔にならず、浴室１０内のスペースを有効に活用できる。
【００２３】
(実施例１の変更例)
実施例１においては、液剤の切り替えを行なう切替手段として、切替スイッチを採用したが、該切替手段を、液剤貯留タンクの配設数に応じた数の選択ボタンで構成することも可能である。すなわち、各液剤に対応する選択ボタンを浴室内に配設し、使用者が該選択ボタンを押すことで、所望の液剤が供給されるように変更してもよい。また、実施例１では、液剤供給機構を台部の内部に収納した場合を示したが、例えば、浴室内に該液剤供給機構を収納する収納部を設けて、該収納部内に液剤供給機構を配設してもよい。
【実施例２】
【００２４】
次に、実施例２に係る浴室５０について、以下説明を行なう。なお、実施例２については、実施例１との変更点のみ説明を行なって、同一の構成については説明を省略する。また、実施例２の浴室５０は、複数の洗い場１１が配設されるホテル・旅館や大衆浴場等において、特に好適に実施されるものである。
【００２５】
図３は、実施例２に係る浴室５０を示す概略説明図である。浴室５０の内部には、前記洗い場１１が並列的に複数(実施例２では３つ)配設されると共に、前記複数の液剤貯留タンク２８と、切替弁３０と、ポンプ３２とは該浴室５０の外部の１箇所に集中的に配置されている。すなわち、実施例２においては、液剤貯留タンク２８等の液剤供給機構２３を、洗い場１１の台部１３内に配設するのではなく、浴室５０の外部に設けられた外部配置部５２に集中して配置するようになっている。
【００２６】
また、前記液剤供給ノズル２４は、前記各洗い場１１に設けられた蛇口１６の近傍に配設されて、前記ポンプ３２から導出した所要数の液剤供給管２６が該液剤供給ノズル２４に個別に接続されている。すなわち、前記各液剤供給ノズル２４は、液剤供給管２６を介して前記外部配置部５２に配置されたポンプ３２と連通接続されており、該液剤供給ノズル２４から各洗い場１１に液剤を供給し得るようになっている。更に、各洗い場１１の液剤供給管２６には、常には液剤供給管２６を閉成させて液剤の供給を遮断すると共に、前記液剤供給ボタン４０が押された時にのみ、該供給管２６を開放する開閉弁５４が設けられている。すなわち、各洗い場１１の台部１３内に配設された開閉弁５４は、液剤供給ボタン４０が押されたことを検知した時にのみ、その洗い場１１における液剤供給管２６を開放して液剤の流通を許容し、液剤供給ボタン４０が押されていない他の洗い場１１,１１には、液剤が供給されることはない。
【００２７】
なお、前記外部配置部５２に配設された制御手段３４は、全ての洗い場１１における切替スイッチ４２と電気的に接続されて、各洗い場１１から送られる液剤選択の指令に応じて切替弁３０の制御を行なうよう構成されている。また、洗浄水を供給する洗浄水供給管４６は、夫々の洗い場１１に配設された湯水供給管１８から分岐して前記台部１３内に設けられており、同じく台部１３内に設けられた洗浄弁４４を介して各液剤供給管２６と接続している。
【００２８】
(実施例２の作用)
次に、実施例２に係る浴室５０の作用について説明する。なお、各洗い場１１における切替スイッチ４２は、当初、「シャンプー」に設定されているものとする。
【００２９】
任意の洗い場１１における使用者が、前記切替スイッチ４２を「ボディーソープ」に設定した際には、前記洗浄弁４４が開放してノズル洗浄が行なわれる。ノズル洗浄後、制御手段３４は前記切替弁３０を制御して、液剤貯留タンクＡ２８に接続する液剤吸入管３８を開放させて液剤供給管２６と連通させると共に、液剤貯留タンクＢ２８と接続する液剤吸入管３８を閉成させる。そして、使用者が液剤供給スイッチ４０を押すと、その洗い場１１における開閉弁５４のみが開放して、液剤供給ノズル２４からボディーソープが注出される。この時、他の洗い場１１,１１における開閉弁５４は閉成したままなので、それらの洗い場１１,１１にはボディーソープは供給されない。
【００３０】
すなわち、実施例２に係る浴室５０は、液剤供給機構２３を外部配置部５２に集中的に配置したので、該液剤供給機構２３を複数の洗い場１１で共有することができる。従って、前記洗い場１１を多数配設しても、前記液剤供給機構２３は１つ設ければよいので、浴室５０の敷設コストは抑えられる。さらに、液剤貯留タンク２８への液剤の補給・交換も効率的になって、人件費の抑制を図り得る。
【００３１】
(実施例２の変更例)
実施例２では、前記液剤供給機構を外部に設けられた外部配置部に集中的に配置したが、例えば、複数の洗い場において、液剤を同時に供給する必要がある場合には、液剤貯留タンクのみを外部に配置して、他の液剤供給機構については、夫々の洗い場に配設するようにしてもよい。すなわち、図４に示すように、実施例２の変更例に係る浴室５１は、複数の液剤貯留タンク２８を１箇所に集中的に配置すると共に、前記切替弁３０、ポンプ３２、液剤供給管２６および液剤供給ノズル２４からなる組合せを前記多数の蛇口１６の近傍に対応的に設け、前記切替弁３０を前記液剤吸入管３８を介して夫々の液剤貯留タンク２８に接続することで、夫々の液剤供給ノズル２４から所望の液剤を供給し得るようにしたものである。このようにすることで、実施例２の浴室５０のように、各洗い場１１に前記開閉弁５４を設ける必要はなく、複数の洗い場１１に各種の液剤を同時的に供給することが可能となる。
【図面の簡単な説明】
【００３２】
【図１】実施例１に係る浴室の台部を示す図２のＩ−Ｉ線断面図である。
【図２】実施例１に係る浴室の概略平面図である。
【図３】実施例２に係る浴室を示す概略説明図である。
【図４】実施例２の変更例に係る浴室を示す概略説明図である。
【符号の説明】
【００３３】
１１ 洗い場
１４ 浴槽
１６ 蛇口
１８ 湯水供給管
２４ 液剤供給ノズル
２６ 液剤供給管
２８ 液剤貯留タンク
３０ 切替弁
３２ ポンプ
３４ 制御手段
３６ 開口部
３８ 液剤吸入管
４２ 切替スイッチ(液剤選択手段)
４４ 洗浄弁
４６ 洗浄水供給管
５０ 浴室(実施例２)
５４ 開閉弁 
【図１】
2006136468.tif 000003
【図２】
2006136468.tif 000004
【図３】
2006136468.tif 000005
【図４】
2006136468.tif 000006